(57)【要約】【課題】本考案は、多種のマッサージ機能を供給することができるローラーマッサージ器を提供することを目的とする。【解決手段】本考案のローラーマッサージ器の滑動座２３には、モータ２４と方向変換ギアセット２５と方向転換軸ロッド２６とマッサージローラーセット３０，３０１と導動体４０，４１とが設置されている。導動体４１に偏心した組み付け孔４２と溝４７とが形成され、方向転換軸ロッド２６に係合されたボルト４６が溝４７内で１８０°反転することができる。導動体４０，４１に斜端面４３が形成されているため、マッサージローラーセット３０，３０１のアーム３１が傾いて導動体４０，４１に嵌合されることにより、マッサージローラーセット３０，３０１のローラーは、上下左右の方向の微妙なスイング動作を行うことができる。【選択図】　　　図２
0003097084.tif 000002
【実用新案登録請求の範囲】
【請求項１】
本体と、第１のモータと、前記第１のモータによって回転される回転軸ロッドと、前記回転軸ロッドによって上下に移動される滑動座と、前記滑動座に取り付けられるマッサージローラーセットとを有するローラーマッサージ器において、
第２のモータと、
前記第２のモータに取り付けられた方向変換ギアセットと、
前記方向変換ギアセットにより時計回り及び反時計回りに反転される方向転換軸ロッドと、
前記組み付け柱に嵌合される前記マッサージローラーセットのアームと、
前記方向転換軸ロッドの両端が嵌合される偏心して形成された組み付け孔と、面が斜めに形成された斜端面と、前記斜端面上に組み付け柱とを有する第１及び第２の導動体と、
前記第１の導動体には、前記組み付け孔に嵌合された前記方向転換軸ロッドの先端に係合されたボルトが反転できる溝を有することを特徴とするローラーマッサージ器。
【考案の詳細な説明】
【０００１】
【考案の属する技術分野】
本考案はマッサージ器に係るものであり、特に、人体背部及び腰部用のローラーマッサージ器に係るものである。
【０００２】
【従来の技術】
図１は、従来のローラーマッサージ器の平面図である。ローラーマッサージ器は、モータと回転軸ロッド１０とローラー座体１３とローラーセット１１とを有している。モータで回転された回転軸ロッド１０の回転を利用し、回転軸ロッド１０に連動するローラー座体１３に取り付けられているローラーセット１１を往復移動させる。ローラーセット１１に固定されているローラー１２が、人体背部を押すことにより、マッサージを行うことができる。
【０００３】
【考案が解決しようとする課題】
しかしながら、ローラーセットに固定されているローラーは、ローラー座体の往復直線移動の動きに伴い、直線的なローラーマッサージができるのみである。また、ローラーやローラーが固定されているアームが一定位置で固定されているため、人体背部の一定部分しかマッサージをすることができず、使用者に供給できるマッサージ機能はごく限られている。
【０００４】
本考案は、多種のマッサージ機能を供給することができるローラーマッサージ器を提供することを目的とする。
【０００５】
【課題を解決するための手段】
前記の目的を図るために、本考案は、本体と、第１のモータと、前記第１のモータによって回転される回転軸ロッドと、前記回転軸ロッドによって上下に移動される滑動座と、前記滑動座に取り付けられるマッサージローラーセットとを有するローラーマッサージ器において、第２のモータと、前記第２のモータに取り付けられた方向変換ギアセットと、前記方向変換ギアセットにより時計回り及び反時計回りに反転される方向転換軸ロッドと、前記組み付け柱に嵌合される前記マッサージローラーセットのアームと、前記方向転換軸ロッドの両端が嵌合される偏心して形成された組み付け孔と、面が斜めに形成された斜端面と、前記斜端面上に組み付け柱とを有する第１及び第２の導動体と、前記第１の導動体には、前記組み付け孔に嵌合された前記方向転換軸ロッドの先端に係合されたボルトが反転できる溝を有することを特徴とする。
【０００６】
本考案において、導動体の偏心して形成された組み付け孔に方向転換軸ロッドの両端が嵌合される。導動体の斜端面が斜めに形成され、マッサージローラーセットのアームがアームの軸に対し傾いて取り付けられている。一方の導動体には溝が形成され、方向転換軸ロッドの先端に係合されたボルトが１８０°反転することができるため、左右の導動体の斜端面を左右対称又は左右平行に傾けることができる。方向転換軸ロッドを時計回り又は反時計回りに回転させることにより、マッサージローラーセットは左右対称又は左右平行に傾いて回転するため、ローラーが上下左右の方向の微妙なスイング動作を行うことができる。
【０００７】
【考案の実施の形態】
以下に添付図面を参照して本考案のある好適な実施の形態を詳細に説明するが、それらの構成は本考案の構造の絶対的な制限にならない。
【０００８】
図２は、本実施例のローラーマッサージ器の平面図である。
【０００９】
本考案のローラーマッサージ器は、本体２０とモータ２１と回転軸ロッド２２と滑動座２３とを有している。滑動座２３は、回転軸ロッド２２と溝同士が噛み合い、回転軸ロッド２２が回転するに伴い、往復移動することができる。
【００１０】
滑動座２３には、モータ２４と方向変換ギアセット２５と方向転換軸ロッド２６とマッサージローラーセット３０，３０１と導動体４０，４１とが設置されている。モータ２４は、方向変換ギアセット２５により、方向転換軸ロッド２６を回転させることができる。方向転換軸ロッド２６は、モータ２４により、時計回り及び反時計回りに自動反転することができる。
【００１１】
方向転換軸ロッド２６の両端に軸設置された導動体４０，４１の両端にマッサージローラーセット３０，３０１のアーム３１を枢軸結合させることにより、マッサージローラーセット３０，３０１がスイングされる。
【００１２】
図３は、本実施例の導動体４１の立体図である。図４は、本実施例の方向転換軸ロッド２６が時計回りに回転し、導動体４０，４１の斜端面４３が平行の場合に、スイング動作が行われる部分の断面図である。
【００１３】
導動体４０，４１は、相対的に方向転換軸ロッド２６の両端に設置される。導動体４０，４１の内側の端部は、偏心して形成された組み付け孔４２を具備することにより、方向転換軸ロッド２６の端部が挿入される。導動体４０，４１の外側の端部には、斜端面４３が形成され、斜端面４３上に組み付け柱４４が形成されている。マッサージローラーセット３０，３０１のアーム３１は、ワッシャー３２とナット３３により、組み付け柱４４に組み付けられる。
【００１４】
導動体４０，４１は、方向転換軸ロッド２６の両端にボルト４５，４６により固定され、右側に取り付けられた導動体４１は外壁の１つの側に溝４７が形成されている。導動体４１の内側の端部より、組み付け孔４２が溝４７を貫通している。溝４７の時計回りストッパー４７１、反時計回りストッパー４７２の位置は、導動体４１が回転したとき、ボルト４６が溝４７内を反転できる角度（１８０°）で設置される。即ち、方向転換軸ロッド２６の端部及びボルト４６が導動体４１内を反転できる。
【００１５】
図４に示すように、方向転換軸ロッド２６が時計回りに回転し、ボルト４６が溝４７の時計回りストッパー４７１に当たるとき、導動体４１と反対側の導動体４０との斜端面４３の角度は、平行になる。
【００１６】
図５は、本考案のマッサージローラーセット３０，３０１のアーム３１が平行な場合のスイング動作を示す平面図である。
【００１７】
導動体４１と導動体４０との取り付けの状態を左右の斜端面４３を平行に傾けることにより、両側のマッサージローラーセット３０，３０１のアーム３１は、実線に示すように、平行で上端が右方向に傾いている。方向転換軸ロッド２６が時計回りに１８０°回転することにより、マッサージローラーセット３０，３０１のアーム３１は１８０°回転し、細線に示すように、平行で上端が左方向に傾いている。さらに、方向転換軸ロッド２６が時計回りに１８０°回転することにより、マッサージローラーセット３０，３０１のアーム３１は、平行で上端が右方向に傾いた状態に戻り、以降この動作を繰り返す。
【００１８】
したがって、マッサージローラーセット３０，３０１のアーム３１は、平行で左右交互に傾いたスイング動作を行うことができる。また、方向転換軸ロッド２６の端部が偏心して導動体４０，４１に取り付けられているため、マッサージローラーセット３０，３０１のアーム３１は、方向転換軸ロッド２６の回転と共に上下運動する。即ち、方向転換軸ロッド２６が回転するとき、マッサージローラーセット３０，３０１のアーム３１の両端に取り付けられたローラーは、上下左右の方向の微妙なスイング動作を行うことができる。
【００１９】
図６は、本実施例の方向転換軸ロッド２６が反時計回りに回転し、導動体４０，４１の斜端面４３が左右対称に傾いている場合に、スイング動作が行われる部分の断面図である。
【００２０】
方向転換軸ロッド２６が反時計回りに回転し、ボルト４６が溝４７の反時計回りストッパー４７２に当たるとき、導動体４１と反対側の導動体４０の位置は左右対称となり、それぞれの斜端面４３は左右対称に傾いている。
【００２１】
図７は、本実施例のマッサージローラーセット３０，３０１のアーム３１が左右対称な場合のスイング動作を示す平面図である。
【００２２】
導動体４１と導動体４０との取り付けの状態を左右の斜端面４３が左右対称に傾けることにより、両側のマッサージローラーセット３０，３０１のアーム３１は、実線で示すように、左右対称で、上端が開き、下端が閉じた状態ある。方向転換軸ロッド２６が反時計回りに１８０°回転することにより、マッサージローラーセット３０，３０１のアーム３１は１８０°回転し、細線で示すように、左右対称で、上端が閉じ、下端が開いた状態となる。さらに、方向転換軸ロッド２６が反時計回りに１８０°回転することにより、マッサージローラーセット３０，３０１のアーム３１は、左右対称で、上端が開き、下端が閉じた状態に戻り、以降この動作を繰り返す。したがって、マッサージローラーセット３０，３０１は、左右対称のスイング動作を行うことができる。また、方向転換軸ロッド２６の端部が偏心して導動体４０，４１に取り付けられているため、マッサージローラーセット３０，３０１のアーム３１は、方向転換軸ロッド２６の回転と共に上下運動する。即ち、方向転換軸ロッド２６が回転するとき、マッサージローラーセット３０，３０１のアーム３１の両端に取り付けられたローラーは、上下左右の方向の微妙なスイング動作を行うことができる。
【００２３】
【考案の効果】
上述したように、本考案のローラーマッサージ器において、マッサージローラーセットのローラーは、上下左右の方向の微妙なスイング動作を行うことができるため、多様なマッサージを提供することができる。
【図面の簡単な説明】
【図１】従来のローラーマッサージ器の平面図である。
【図２】本実施例のローラーマッサージ器の平面図である。
【図３】本実施例の導動体の立体図である。
【図４】本実施例の方向転換軸ロッドが時計回りに回転し、導動体の斜端面が平行の場合に、スイング動作が行われる部分の断面図である。
【図５】本実施例のマッサージローラーセットのアームが平行な場合のスイング動作を示す平面図である。
【図６】本実施例の方向転換軸ロッドが反時計回りに回転し、導動体の斜端面が左右対称に傾いている場合に、スイング動作が行われる部分の断面図である。
【図７】本実施例のマッサージローラーセットのアームが左右対称な場合のスイング動作を示す平面図である。
【符号の説明】
２０　　　本体
２１，２４　　　モータ
２２　　　回転軸ロッド
２３　　　滑動座
２５　　　方向変換ギアセット
２６　　　方向転換軸ロッド
３０，３０１　　　マッサージローラーセット
３１　　　アーム
４０，４１　　　導動体
４２　　　組み付け孔
４３　　　斜端面
４４　　　組み付け柱
４５，４６　　　ボルト
４７　　　溝
４７１　　　時計回りストッパー
４７２　　　反時計回りストッパー
【図１】
0003097084.tif 000003
【図２】
0003097084.tif 000004
【図３】
0003097084.tif 000005
【図４】
0003097084.tif 000006
【図５】
0003097084.tif 000007
【図６】
0003097084.tif 000008
【図７】
0003097084.tif 000009